(57)【要約】【課題】比較的簡易な作業にて電磁調理器の取り付けを行うことができる電磁式調理装置を提供せんとするものである。【解決手段】上面が調理部６である電磁式調理器本体２ａの下面に拡開自在な係止脚７を垂下形成して電磁式調理器２を構成し、調理台１の上面に取り付け貫通孔４を形成し、該調理台１の取り付け貫通孔４に上記電磁式調理器２の拡開自在な係止脚７を嵌合し、係止脚７を拡開せしめて係合して調理台１上に電磁式調理器２の調理部６を露出せしめて取り付けてなることを特徴とするものである。【選択図】図２
2009009761.tif 000002
【特許請求の範囲】
【請求項１】
上面が調理部である電磁式調理器本体の下面に拡開自在な係止脚を垂下形成して電磁式調理器を構成し、調理台の上面に取り付け貫通孔を形成し、該取り付け貫通孔に上記電磁式調理器の拡開自在な係止脚を嵌合し、係止脚を拡開せしめて係合して調理台上に電磁式調理器の調理部を露出せしめて取り付けてなる電磁式調理装置。
【請求項２】
上記係止脚は、電磁式調理器本体の下面に垂下する芯体と、この芯体を嵌め込む装着口を有するとともに下部が拡開自在に形成された外筒とから構成され、この外筒を調理台に取り付け貫通孔に遊嵌するとともに、芯体を外筒の装着口に圧入することで外筒の下部が拡開して取り付け貫通孔に固定される請求項１記載の電磁式調理装置。
【発明の詳細な説明】
【技術分野】
【０００１】
本発明は、電磁式調理装置に関する。さらに詳しくは、電磁式調理器を調理台に組み込んで使用される電磁式調理装置に関するものである。
【背景技術】
【０００２】
従来から下記特許文献１に示されるように、システムキッチン等における調理台の部位に電磁式調理機器を組み込んだものが知られている。このものでは、調理台に相当するキャビネットの上面のカウンタートップに、機器組込用の凹部を比較的大きく形成し、一方、電磁調理器たる加熱器本体を筐体に搭載することで電磁式調理機器を構成し、この筐体ごと一体に機器組込用の凹部に収容せしめるとともに筐体に設けたフランジ部をカウンタートップに支持せしめて、当該筐体を凹部の内壁面にネジ等で固定して組み込んでいる。
【０００３】
しかし、このように筐体に電磁調理器たる加熱器本体を搭載して構成した電磁式調理機器はサイズも比較的大きくなり、しかも重量も重くなるため、その組み込み作業は容易とは言えなかった。
【特許文献１】特開２００５−２１４５７７号公報
【発明の開示】
【発明が解決しようとする課題】
【０００４】
本発明は、上記従来例等における事情に鑑みてなされたもので、比較的簡易な作業にて電磁調理器の取り付けを行うことができる電磁式調理装置を提供せんとするものである。
【課題を解決するための手段】
【０００５】
上記課題を解決するために、本発明の電磁式調理装置は、上面が調理部である電磁式調理器本体の下面に拡開自在な係止脚を垂下形成して電磁式調理器を構成し、調理台の上面に取り付け貫通孔を形成し、該取り付け貫通孔に上記電磁式調理器の拡開自在な係止脚を嵌合し、係止脚を拡開せしめて係合して調理台上に電磁式調理器の調理部を露出せしめて取り付けてなることを特徴とするものである。
【０００６】
本発明においては、例えば、上記係止脚が、電磁式調理器本体の下面に垂下する芯体と、この芯体を嵌め込む装着口を有するとともに下部が拡開自在に形成された外筒とから構成され、この外筒を調理台に取り付け貫通孔に遊嵌するとともに、芯体を外筒の装着口に圧入することで外筒の下部が拡開して取り付け貫通孔に固定されるようにすることができる。
【発明の効果】
【０００７】
本発明の電磁式調理装置では、調理台の取り付け貫通孔に係止脚を嵌め込み、さらにこの係止脚を拡開せしめて取り付け貫通孔に係合するという、上方からの比較的簡易な作業にて取り付けが行えるものである。
【発明を実施するための最良の形態】
【０００８】
以下、本発明の実施形態について図面を参照して、詳細に説明する。図１は本発明の実施形態に係る電磁式調理装置Ａを備えたキッチンキャビネットを示すものである。電磁式調理装置Ａは調理台１に電磁式調理器２を設置してなるもので、３は操作部である。調理台１は上面を耐熱強化ガラス、セラミック、アルミニウム等の耐熱性に優れたパネルで形成するのが望ましく、キッチンカウンターのデザインを考慮して所望の化粧面とすることが可能である。
【０００９】
図２に示すごとく、この調理台１は上面に取り付け貫通孔４を形成している。取り付け貫通孔４は内面に段部５を形成しており、この段部５で調理部６を支持する。電磁式調理器２は、上面が調理部６である電磁式調理器本体２ａの下面に係止脚７を垂下形成してなる。係止脚７は例えば、図３、図４に示すように、拡開自在な外筒８と芯体９で構成され、外筒８には芯体９を嵌め込む装着口１１が設けられている。そして、芯体９が外筒８内に圧入されると外筒８が拡開されるようになっている。
【００１０】
この電磁式調理装置Ａでは、芯体９が電磁式調理器本体２ａの下面に形成され、芯体９に外筒８が保持されている。電磁式調理器２を調理台１に取り付けるには、調理台１の取り付け貫通孔４に上方より係止脚７を嵌合する。係止脚７の上部は取り付け貫通孔４の内面の段部５に当止し、電磁式調理器本体２ａをさらに押圧すると芯体９が外筒８に進入し、芯体９が外筒８を拡開する。外筒８は割り筒でなるために容易に拡開して図５に示す如く段部５下部に係止し、電磁式調理器２が調理台１に取り付けられたことになる。このとき、芯体９の先端部は、その胴部よりも膨張した形状に形成されているため、外筒８が拡開して丁度、段部５下部に係止したとき、外筒８の下側に芯体９の先端部が突き抜け、抜け止めされる。
【００１１】
このように、この電磁式調理装置Ａでは、電磁式調理器２を調理台１に容易に取り付けることができ、しかも、電磁式調理器２の調理部６が調理台１上に露出して取り付けられるために、エネルギー効率が良いものである。１０は調理部６を被覆している耐熱層を示すものである。耐熱層１０は耐熱ガラスやセラミック等の耐熱性、透磁性に優れた材料で形成されており、エネルギー効率を損なうことが少なく、調理部６の清掃も容易に行えるものである。
【図面の簡単な説明】
【００１２】
【図１】本発明の実施形態における電磁式調理装置Ａを備えたキッチンキャビネットを示す斜視図。
【図２】図１に示す実施例の電磁式調理装置の分解図。
【図３】図１に示す実施例の電磁式調理装置の説明図。
【図４】図１に示す実施例の電磁式調理装置の断面図。
【図５】調理台の取り付け貫通孔に電磁式調理器を装着した状態を示す断面図。
【符号の説明】
【００１３】
１                  調理台
２                  電磁式調理器
２ａ                電磁式調理器本体
３                  操作部
４                  取り付け貫通孔
５                  段部
６                  調理部
７                  係止脚
８                  外筒
９                  芯体
１０                耐熱層
【図１】
2009009761.tif 000003
【図２】
2009009761.tif 000004
【図３】
2009009761.tif 000005
【図４】
2009009761.tif 000006
【図５】
2009009761.tif 000007